(57)【要約】【課題】柔軟性を備えかつ自由度の高い合成処理を実現し得るデジタルカメラを提供する。【解決手段】被写体を撮影しデジタル画像を出力する撮影手段と、撮影手段から出力されたデジタル画像を記憶する画像メモリ１６と、撮影画像に合成する基準テンプレート画像を記憶するテンプレート記憶手段２１と、テンプレート記憶手段の基準テンプレートから所望のテンプレートを選択するテンプレート選択手段と、デジタル画像内から所定の被写体を検出する被写体検出手段と、被写体検出手段が検出した被写体を含む部分画像領域の数，大きさ，撮影画像内での位置に応じて選択された基準テンプレートを自動的に編集し合成用テンプレートを生成する合成テンプレート生成手段と、デジタル画像データと合成用テンプレートデータとを合成処理するテンプレート合成手段と、テンプレート合成手段が合成した合成画像データを画像メモリに記憶させる記憶制御手段とを備える。【選択図】図４
2009118084.tif 000002
【特許請求の範囲】
【請求項１】
被写体を撮影してデジタル画像データとして出力する撮影手段と、
上記撮影手段によって撮影され出力されたデジタル画像データを記憶する画像メモリと、
上記撮影画像に合成する基準テンプレート画像を記憶するテンプレート記憶手段と、
上記テンプレート記憶手段に記憶された基準テンプレートのうち所望の基準テンプレートを選択するテンプレート選択手段と、
上記デジタル画像データにより表される撮影画像内から所定の被写体を検出する被写体検出手段と、
上記被写体検出手段により検出された所定の被写体を含む部分画像領域の数，大きさ，撮影画像内での位置に応じて上記テンプレート選択手段で選択した基準テンプレートを自動的に編集して合成用テンプレートを生成する合成テンプレート生成手段と、
上記デジタル画像データと上記合成用テンプレートのデータとを合成処理するテンプレート合成手段と、
上記テンプレート合成手段により合成された合成画像データを上記画像メモリに記憶させる記憶制御手段と、
を有することを特徴とするデジタルカメラ。
【請求項２】
画像を表示する画像表示手段を、さらに有し、
上記テンプレート合成手段は、当該デジタルカメラが撮影待機状態にあるときに上記撮影手段が出力する連続撮影画像に上記合成用テンプレートを合成し、
上記画像表示手段は、上記合成された画像を表示することを特徴とする請求項１に記載のデジタルカメラ。
【請求項３】
上記記憶制御手段は、上記テンプレート合成手段で合成された画像データを上記画像メモリに記憶させる第１の記憶モードと、上記撮影画像の画像データとその撮影画像に合成する合成用テンプレートデータとを上記画像メモリに記憶させる第２の記憶モードと、
を有し、
上記第１の記憶モードと上記第２の記憶モードとは、選択可能であることを特徴とする請求項２に記載のデジタルカメラ。
【請求項４】
使用者の操作に応じて合成用テンプレートを編集するテンプレート編集手段を、さらに有することを特徴とする請求項３に記載のデジタルカメラ。
【請求項５】
上記テンプレート編集手段は、使用者の操作に応じてテキストデータを挿入可能であることを特徴とする請求項４に記載のデジタルカメラ。
【請求項６】
上記被写体検出手段は、人間の顔を所定の被写体として検出することを特徴とする請求項１〜請求項５のうちのいずれか一つに記載のデジタルカメラ。
【発明の詳細な説明】
【技術分野】
【０００１】
この発明は、デジタルカメラ、詳しくは撮影画像とテンプレート画像とを合成して合成画像を生成することができ、その合成画像を表示したり記憶メモリに記憶し保存することのできる画像処理機能を備えたデジタルカメラに関するものである。
【背景技術】
【０００２】
近年、撮影レンズを介して入射した被写体の光像を撮像素子により光電変換し電子的なデジタル画像データを生成し、この画像データを半導体メモリ等の記憶媒体に記録するように構成されたデジタルカメラが実用化され広く普及している。
【０００３】
このようなデジタルカメラによって撮影され取得される撮影画像データは、小型コンピュータ等の画像編集機能を有する電子装置等を用いて各種の画像処理を施すことにより元の撮影画像データに基いて表される画像とは異なる形態の画像、例えば撮影画像データに対して予め用意された背景画像やイラスト画像等のテンプレート画像を合成処理した合成画像等を作成するといったさまざまな画像処理等を容易に行うことができるという点に特徴がある。
【０００４】
また、これらの画像処理は、デジタルカメラで撮影が完了した後、取得済みの画像データに対して、当該デジタルカメラとは別の装置を用いて行うだけでなく、例えばデジタルカメラ上において、撮影動作を行う際に、または撮影した後に、撮影画像に対して各種の画像処理を行うことができるようにしたデジタルカメラについての提案が、種々なされている。
【０００５】
例えば、特開２００５−１８４５８２号公報によって開示されている画像入力再生装置においては、撮影画像に合成するためのテンプレート画像について、予め位置や大きさが固定されるテンプレート画像ではなく、撮影時にテンプレート画像の位置を所望の位置に設定し得るようにしたものである。
【０００６】
また、特開２００４−２９７２７４号公報によって開示されている画像処理装置においては、撮影画像と予め用意されたテンプレート画像とを合成するのに際して、撮影された被写体の形態に応じてテンプレート画像の向きやサイズを任意に変形させて合成処理するというものである。
【０００７】
一方、近年におけるデジタルカメラでは、撮影しようとする画角内に含まれる主要被写体、例えば人物の顔等を主要被写体として検出する対象検出手段を備えた技術（例として顔認識技術等が挙げられる）についての提案が種々なされており、また実用化されている。
【特許文献１】特開２００５−１８４５８２号公報
【特許文献２】特開２００４−２９７２７４号公報
【発明の開示】
【発明が解決しようとする課題】
【０００８】
ところが、上記特開２００５−１８４５８２号公報によって開示されている手段では、例えば一つの撮影画像に対して複数のテンプレート画像を合成しようとする場合、非常に手間がかかり、また位置の調整を適切に行なうことができないという問題点がある。この場合において、たとえ位置調整を行ない得るような構成を実現したとしても、当該システムを利用して所望の合成画像を取得するためには、さらに複雑で手間のかかる操作が必要になってしまうと考えられる。
【０００９】
また、上記特開２００４−２９７２７４号公報によって開示されている手段では、例えば被写体の顔の向きに応じてテンプレート画像を変形させることができるようになっているが、テンプレート画像自体は、撮影画像に対して固定された位置から動かせないので、撮影時におけるテンプレート画像の柔軟性や構図の自由度に乏しいという問題点が存在している。
【００１０】
一方、上記顔認識技術を用いて撮影画面の中から主要被写体となる対象（人間の顔等）を検出し、この対象を含む部分画像領域の部分に対して、予め記憶されているテンプレート画像を合成し、これにより得られる合成画像データ等を記憶媒体に記憶するといった技術も考えられる。
【００１１】
本発明は、上述した点に鑑みてなされたものであって、その目的とするところは、テンプレート画像と撮影画像とを合成する処理を撮影動作時に同時に行う撮影モードを備えたデジタルカメラであって、顔認識技術を用いて撮影画面の中から検出された主要被写体となる対象（人間の顔等）を含む部分画像領域に対して、予め記憶されているテンプレート画像のうちの所望のテンプレート画像を自動的に合成することができ、この合成処理の際にはテンプレート画像の位置やサイズ等を被写体に合わせた形態に調整し得るようにすることで、柔軟性を備えかつ自由度の高い合成処理を実現することのできるデジタルカメラを提供することである。
【課題を解決するための手段】
【００１２】
上記目的を達成するために、本発明によるデジタルカメラは、被写体を撮影してデジタル画像データとして出力する撮影手段と、上記撮影手段によって撮影され出力されたデジタル画像データを記憶する画像メモリと、上記撮影画像に合成する基準テンプレート画像を記憶するテンプレート記憶手段と、上記テンプレート記憶手段に記憶された基準テンプレートのうち所望の基準テンプレートを選択するテンプレート選択手段と、上記デジタル画像データにより表される撮影画像内から所定の被写体を検出する被写体検出手段と、上記被写体検出手段により検出された所定の被写体を含む部分画像領域の数，大きさ，撮影画像内での位置に応じて上記テンプレート選択手段で選択した基準テンプレートを自動的に編集して合成用テンプレートを生成する合成テンプレート生成手段と、上記デジタル画像データと上記合成用テンプレートのデータとを合成処理するテンプレート合成手段と、上記テンプレート合成手段により合成された合成画像データを上記画像メモリに記憶させる記憶制御手段と、を有することを特徴とする。
【発明の効果】
【００１３】
本発明によれば、テンプレート画像と撮影画像とを合成する処理を撮影動作時に同時に行う撮影モードを備えたデジタルカメラであって、顔認識技術を用いて撮影画面の中から検出された主要被写体となる対象（人間の顔等）を含む部分画像領域に対して、予め記憶されているテンプレート画像のうちの所望のテンプレート画像を自動的に合成することができ、この合成処理の際にはテンプレート画像の位置やサイズ等を被写体に合わせた形態に調整し得るようにすることで、柔軟性を備えかつ自由度の高い合成処理を実現し得るデジタルカメラを提供することができる。
【発明を実施するための最良の形態】
【００１４】
以下、図示の実施の形態によって本発明を説明する。
【００１５】
図１は、本発明の一実施形態のデジタルカメラにおける内部構成のうち電気的な構成の主要部を示すブロック構成図である。
【００１６】
本実施形態のデジタルカメラ１は、内部回路全体の動作を制御する制御手段であるコントローラ１２と、筐体外表面に設けられる各種の操作ボタン（図示せず）とこの各種の操作部材に連動して各種の指示信号を発生させるスイッチ部材等を含む回路等からなる操作部１１と、被写体からの光束を透過させて被写体の光像（以下、被写体像という）を所定の位置に結像させる光学系である撮影レンズ１８と、撮影レンズ１８により結像される被写体の光像を受光して光電変換し電気的な画像信号を生成する光電変換素子である撮像素子等を含む電気回路等からなる撮像部１３と、撮像部１３で生成された画像信号を対象として各種の信号処理を施す回路等からなる処理部１４と、処理部１４から出力される画像信号を記録するのに適した形態の画像データファイルに変換する回路やその画像データファイルを記憶する画像メモリである半導体メモリ等を含む画像記憶部１６と、処理部１４から出力される画像信号を一時的に記憶する内部半導体メモリ等からなる一時メモリ１７と、処理部１４から出力される画像信号を受けて表示に適した形態の画像信号に変換する回路やその画像信号に基いて画像を表示したり処理部１４からの出力を受けて所定の情報等を表示する液晶ディスプレイ等からなる画像表示手段である表示部１５と、コントローラ１２の制御下で撮影レンズ１８の焦点調節動作を制御するＡＦコントローラ１９と、ＡＦコントローラ１９の制御によって撮影レンズ１８を光軸Ｏに沿う方向に移動させる駆動機構であって駆動モータ等を含んで構成されるレンズ駆動部２０と、撮影画像に合成する基準テンプレート画像のデータや各種のソフトウエア等が予め記憶されているテンプレート記憶手段でありＥＥＰＲＯＭ等からなる不揮発性半導体メモリ（図１ではＥＥＰＲＯＭと表記している）２１等によって、その主要部が構成されている。
【００１７】
コントローラ１２及び撮像部１３，処理部１４は、撮影レンズ１８（光学系）により結像した被写体像を撮影してデジタル画像データに変換して出力する撮影手段として機能する。
【００１８】
また、コントローラ１２及びＡＦコントローラ１９，レンズ駆動部２０は、被写体像の結像位置を調節する焦点調節手段として機能する。この焦点調節手段は、例えば撮影手段からの出力（画像信号）に基いてレンズ駆動部２０を制御して撮影レンズ１８を駆動し自動的に合焦状態を検出するいわゆる自動焦点調節動作（オートフォーカス動作；ＡＦ動作）を行うものである。
【００１９】
本デジタルカメラ１においては、撮影待機状態において撮影手段が出力する連続撮影画像（デジタル画像データ）の中から所定の被写体、例えば人間の顔を検出する機能（いわゆる顔検出機能）を有している。この機能を実現する被写体検出手段としてコントローラ１２がその役目を担っている。
【００２０】
不揮発性半導体メモリ２１（テンプレート記憶手段）には、上述したように撮影画像に合成するテンプレート画像であって基準となる各種の形態のテンプレート画像データ（基準テンプレート画像データという）が予め記憶されている。
【００２１】
この基準テンプレート画像データに基いて表示される画像としては、例えば図２に示すような形態の画像がある。
【００２２】
図２，図３は、本実施形態のデジタルカメラにおいて予め用意される基準テンプレート画像の例を示す図であって、図２は部分テンプレート画像の例を示し、図３は挿入テンプレート画像の例を示している。
【００２３】
部分テンプレート画像は、撮影画像の中の所定の領域、即ち被写体検出手段により検出された被写体を含む部分領域（被写体検出部分領域という）に関連する所定の領域に重畳表示される形態で合成処理がなされる画像である。部分テンプレート画像の具体的な表示形態の例としては、例えば図２に示す部分テンプレート画像２１ａ，２１ｂ，２１ｃ，２１ｃ，２１ｆ等の如きものである。
【００２４】
これらの部分テンプレート画像（２１ａ，２１ｂ，２１ｃ，２１ｃ，２１ｆ）を表す部分テンプレート画像データには、以下に示すような各種の情報が付随して保持される。
【００２５】
１．被写体検出部分領域との相対的な大きさを表す情報
２．被写体検出部分領域との相対的な位置を表す情報
３．部分テンプレート画像の基準縦横比を表す情報
４．部分テンプレート画像の基準回転角度を表す情報
５．部分テンプレート画像の基準色情報
６．メッセージの文字情報（部分テンプレート画像２１ｆの文字部２１ｅ）
７．メッセージのフォント情報（部分テンプレート画像２１ｆの文字部２１ｅ）
６．メッセージの文字色（部分テンプレート画像２１ｆの場合）
部分テンプレート画像データは、部分テンプレート画像データと、それに関する複数の関連情報とが一纏めにされた形態で一つのデータを形成している。
【００２６】
なお、テンプレート画像の画像部分を表すデータ形式としては、例えばビットマップ形式やその圧縮した形態の通常の画像データが適用される。しかしながら、画像データ形態としは、これに限ることはなく、ベクトルデータ形式の画像データとしてもよい。このベクトル形式の画像データを適用した場合には、より高精度にテンプレート画像の拡大表示や縮小表示を行なうことができるようになる。
【００２７】
このうち部分テンプレート画像２１ｆは、吹き出し画像部２１ｄと文字部２１ｅとによって形成されている。この場合において、吹き出し画像部２１ｄと文字部２１ｅとは一つの画像データとして構成してもよいし、これとは別の形態、例えば文字部２１ｅがメッセージ文字等をあらわす別データとなるように扱うこともできる。そして、後者の形態として場合には、文字部２１ｅに挿入するメッセージ文字等は、使用者の所定の操作によって任意に挿入することができるようにしてもよい。
【００２８】
コントローラ１２は、これらの情報に基いて適切に合成用テンプレート画像を合成する処理を行う。この合成処理シーケンスについての詳細は後述する。
【００２９】
挿入テンプレート画像は、被写体検出手段により検出された被写体を含む所定の部分領域画像（被写体検出部分領域）が所定の位置に挿入又は貼り付けられる形態で合成処理される画像である。挿入テンプレート画像の具体的な表示形態の例を図３に示す。図３に示す挿入テンプレート画像２２，２３は、被写体検出部分領域の画像が挿入又は貼り付けられるべき挿入領域２２ａ，２３ａと、その背景領域２２ｂ，２３ｂとによって形成される。
【００３０】
これらの挿入テンプレート画像（２２，２３）はを表す挿入テンプレート画像データには、以下に示すような各種の情報が付随して保持される。
【００３１】
（１）被写体検出部分領域と挿入領域との相対的な大きさ
（２）被写体検出部分領域と挿入領域との相対的な位置
（３）挿入領域の基準縦横比
（４）挿入領域の基準回転角度
（５）背景色又は背景イラストに関する情報
なお、挿入テンプレート画像（２２，２３）においては、挿入領域（２２ａ，２３ａ）と背景領域（２２ｂ，２３ｂ）とを異なるレイヤーにより構成するレイヤー構造としてもよい。このようなレイヤー構造を採用した場合には、被写体検出部分領域の情報に応じて、各レイヤー画像の変換が自動的に行なわれることになる。
【００３２】
使用者は、所定の操作部材を操作することにより、これら複数の基準テンプレート画像のうちから所望の基準テンプレート画像を選択することになる。これを受けて、コントローラ１２は、操作部１１からの選択指示信号に基いて不揮発性半導体メモリ２１に記憶されている複数の基準テンプレート画像データのうち使用者が所望し選択指示した基準テンプレート画像データを選択し、処理部１４へと読み込ませるテンプレート選択手段として機能する。
【００３３】
こうして処理部１４に読み込まれた基準テンプレート画像データは、コントローラ１２の制御下で処理部１４内において自動的に所定の編集処理がなされて合成用テンプレート画像データが生成される。この場合において、コントローラ１２及び処理部１４は、撮影画像に応じた合成用のテンプレート画像を生成する合成テンプレート生成手段として機能する。
【００３４】
そして、コントローラ１２は、処理部１４を制御して撮影手段により取得され一時メモリ１７に一時的に記憶されているデジタル画像データ（撮影画像データ）と、処理部１４に読み込まれた合成用のテンプレートデータとを合成処理するテンプレート合成手段として機能する。
【００３５】
さらに、こうして得られた合成画像データは、処理部１４から画像記憶部１６（画像メモリ）に向けて出力される。この場合において、コントローラ１２は、画像記憶部１６を制御して、この合成画像データを所定の記録用データに変換させ画像メモリの所定の領域に記憶させる記憶制御手段として機能する。
【００３６】
なお、本実施形態のデジタルカメラ１においては、ＥＥＰＲＯＭ等の不揮発性半導体メモリ２１を設け、これにテンプレート画像データ等を記憶しておくような構成としているが、この構成に限ることはなく、例えば、画像記憶部１６の所定の領域にテンプレート画像データ等を記憶しておくようにしてもよい。また、テンプレート画像データは、上記半導体メモリ２１と画像記憶部１６との両者に記憶するようなシステムでもよいのは当然である。即ち、画像記憶部１６の半導体メモリとして、当該デジタルカメラ１に対して着脱自在に構成されるカード型の半導体メモリ（いわゆるメモリカード）を適用した場合においては、このメモリカードを種々用意することで、デジタルカメラ１に内蔵される固定型の半導体メモリ２１に記憶された限られた種類のテンプレート画像のほかに、より多彩な種類のテンプレート画像を選択することができるようになる。
【００３７】
このように構成される本実施形態のデジタルカメラ１の作用のうち撮影画像とテンプレート画像とを合成する処理を撮影動作時に行うテンプレート撮影動作を以下に説明する。
【００３８】
図４は、本実施形態のデジタルカメラの作用のうちテンプレート撮影動作の処理シーケンスを示すフローチャートである。なお、図４のフローチャートでは、合成処理の対象となるテンプレート画像として部分テンプレート画像（図２参照）が選択された場合の処理を主に説明している。
【００３９】
本デジタルカメラ１においてテンプレート撮影を行う際には、まず、デジタルカメラ１の電源をオン状態とし、撮影動作を行い得る撮影動作モードで起動する。これによりデジタルカメラ１は撮影待機状態となる。
【００４０】
この撮影待機状態において、使用者は、撮影動作モードを切り換える所定の操作部材を操作してテンプレート撮影モードを設定する。この操作によって操作部１１からは所定の指示信号が発生する。この指示信号を受けてコントローラ１２は、本デジタルカメラ１の撮影動作モードをテンプレート撮影モードに設定する。
【００４１】
デジタルカメラ１の動作モードの設定がテンプレート撮影モードに設定されると、表示部１５の表示画面上には、所望の基準テンプレート画像を選択するためのテンプレート選択表示画面が表示される。
【００４２】
このテンプレート選択表示画面は、ＥＥＰＲＯＭ２１に予め記憶されている複数のテンプレート画像の一覧情報等を表示したものである。この表示は、コントローラ１２の制御下においてＥＥＰＲＯＭ２１，処理部１４，一時メモリ１７，表示部１５等が制御されることにより実現できる。なお、テンプレート画像の一覧情報等は、例えばＥＥＰＲＯＭ２１に記憶済みの複数のテンプレート画像に関する一覧表のデータを用意しておき、これを読み込んで表示させるようにしてもよい。また、これとは別に、ＥＥＰＲＯＭ２１に記憶済みの複数のテンプレート画像のそれぞれに、個々のテンプレート画像を識別するための固有情報等を含めておき、その固有情報を読み込んで処理部１４等において一覧表のデータを作成し、これに基いて表示を行うようにしてもよい。
【００４３】
そして、使用者は、このテンプレート選択表示画面を見ながら所定の操作部材を操作することにより所望のテンプレート画像を選択することができるようになっている。
【００４４】
即ち、このテンプレート選択表示画面が表示されているときに、使用者は、図４のステップＳ１において、所望のテンプレート画像を選択する。この選択操作がなされると、操作部１１からは所定の指示信号が発生する。この指示信号を受けてコントローラ１２は、処理部１４を制御して選択されたテンプレート画像のデータをＥＥＰＲＯＭ２１から読み込み一時メモリ１７に一時的に記憶させる。その後、ステップＳ２の処理に進む。
【００４５】
なお、上述のステップＳ１の選択操作処理が完了すると、デジタルカメラ１は撮影待機状態となる。デジタルカメラ１が撮影待機状態にあるときには、次のような処理が所定間隔で連続的になされている。
【００４６】
即ち、撮影レンズ１８により形成される被写体像が撮像部１３の撮像素子の受光面上に結像される。撮像部１３の撮像素子は、被写体像を受光して光電変換処理を行って画像信号を生成し、処理部１４へと出力する。処理部１４は、これを受けて各種所定の信号処理を行って表示部１５へと出力する。これを受けて表示部１５は、入力された画像信号を所定の形態の表示用画像信号に変換し、表示部１５の表示画面上に画像表示を行う。この一連の処理が所定間隔で繰り返されることにより、表示部１５の表示画面上には連続撮影画像が表示され続ける。
【００４７】
ステップＳ２において、コントローラ１２は、被写体検出処理（顔認識処理）を実行する。即ち、コントローラ１２は、撮影手段が出力する撮影画像信号、即ち処理部１４にて各種所定の信号処理がなされた後、表示部１５へと出力されるべき撮影画像信号について、所定の対象（例えば人間の顔）を主要被写体として検出する処理を実行する。その後、ステップＳ３の処理に進む。
【００４８】
なお、上述の被写体検出処理（顔認識処理）は、同一の撮影画角内に所定の対象である人間の顔が複数存在した場合には、その複数の人間の顔の全てを対象として同時に検出する処理がなされる。
【００４９】
そして、被写体検出処理（顔認識処理）にて対象（人間の顔）が検出されると、表示部１５に表示中の撮影画像の中の対応する対象部位、つまり検出された被写体を含む所定範囲の画像領域（部分画像領域）を示す表示枠が表示される。この表示枠の表示処理自体は、従来の被写体検出処理（顔認識処理）技術で一般に行われる処理である。
【００５０】
続いて、ステップＳ３において、コントローラ１２は、上述のステップＳ２の被写体検出処理の結果、被写体（人間の顔）が検出されたか否かの確認を行う。ここで、被写体が検出されなかった場合、例えば撮影画像（データ）の中に人間の顔が無かった場合（風景写真等）等には、通常の撮影動作処理を行なうために、後述のステップＳ８の処理に進む。一方、被写体（人間の顔）が検出されたことが確認された場合には、次のステップＳ４の処理に進む。
【００５１】
ここで、被写体（人間の顔）が検出されたことが確認された場合、表示部１５の表示画面には、図５に示すような画像が表示される。
【００５２】
図５は、本実施形態のデジタルカメラにおいてテンプレート撮影動作時における被写体検出処理（顔認識処理）により被写体（顔）が検出された際の表示画面の一例を示す図である。
【００５３】
図５において、表示部１５の表示画面には、被写体１００ａ，１００ｂを含む撮影画像が表示されているものとする。この撮影画像について被写体検出処理がなされて被写体が検出された場合、その被写体の所定の部分領域、具体的には検出された被写体の顔の部分領域に例えば矩形状の表示枠１５ａが表示される。
【００５４】
続いて、ステップＳ４において、コントローラ１２は、上述のステップＳ２の処理にて検出された被写体（人間の顔）の全てについてそれぞれの「（全撮影画面領域に対する）相対位置」，「大きさ」等の情報を検出する処理を実行する。その後、ステップＳ５の処理に進む。
【００５５】
ステップＳ５において、コントローラ１２は、上述のステップＳ２の処理にて検出された被写体（人間の顔）の「数」と、各被写体についての各種の情報、即ち上述のステップＳ４の処理にて検出された「相対位置」，「大きさ」，「色」，「回転角度」，「縦横比」等の情報に基いて、上述のステップＳ１の処理にて選択されたテンプレート画像を、最適な形態のテンプレート画像に変換処理して合成用テンプレート画像を生成する処理を行う。
【００５６】
つまり、この場合において、コントローラ１２は、被写体検出手段により検出された所定の被写体（を含む部分画像領域）の「数」，「大きさ」，「（撮影画像内での）相対位置」に応じてステップＳ１の処理にて使用者の選択指示に基いてコントローラ１２（テンプレート選択手段）により選択されている基準テンプレート画像データを自動的に編集して合成用テンプレート画像を生成する合成テンプレート生成手段として機能している。その後、ステップＳ６の処理に進む。
【００５７】
ステップＳ６において、コントローラ１２は、上述のステップＳ５の処理にて生成した合成用テンプレート画像を、表示部１５の表示画面に表示中の画像上の対応する所定の位置に重畳させて表示する画像合成処理を実行する。その後、ステップＳ７の処理に進む。
【００５８】
ステップＳ７において、コントローラ１２は、表示部１５を制御して表示画面の更新処理を行う。これにより、表示部１５の表示画面上には、連続撮影画像上に合成用テンプレート画像が適切な位置及び大きさで重畳表示される。その後、ステップＳ８の処理に進む。
【００５９】
この場合における表示部１５の表示画面の表示例を図６に示す。
【００６０】
つまり、上述のステップＳ６〜ステップＳ７の処理において、テンプレート合成手段としてのコントローラ１２は、デジタルカメラ１が撮影待機状態にあるときに撮影手段が出力する連続撮影画像（図５参照）に対して上述のステップＳ５の処理にて生成した合成用テンプレート画像２１ａａ，２１ａｂ（図６参照）を合成処理し（ステップＳ６）、画像表示手段としての表示部１５は、コントローラ１２の制御下で、当該合成された画像（図６参照）を表示する。
【００６１】
ここで、図６に示す合成用テンプレート画像２１ａａ，２１ａｂは、図２に示す基準テンプレート画像２１ａと、上述のステップＳ４の処理で検出された被写体（顔）の数，位置，大きさ等の情報に基いて生成されるものである。
【００６２】
ステップＳ８において、コントローラ１２は、操作部１１からの出力信号を監視して操作部材のうち撮影動作実行指示を発するための操作部材であるシャッターボタンが押下されたか否かの確認を行なう。ここで、シャッターボタンの押下操作が確認されなかった場合には、上述のステップＳ２の処理に戻り、以降の処理を繰り返す。一方、シャッターボタンの押下操作が確認された場合には、次のステップＳ９の処理に進む。
【００６３】
そして、このステップＳ９において、コントローラ１２は本撮影動作処理を実行する。この本撮影動作の処理シーケンスは、通常の撮影動作処理と同様のものであるので、その詳細説明は省略する。その後、ステップＳ１０の処理に進む。
【００６４】
ステップＳ１０において、コントローラ１２は、上述のステップＳ７の処理にて生成された合成画像のデータを保存するか否かの確認を行う。ここで行われる確認は、例えば予め合成画像データを保存するか否かの設定を行うようにし、その設定がなされているか否かを確認するようにしてもよいし、もしくは、この時点で合成画像データを保存する所定の操作を行うような処理を加え、その指示信号の有無を確認するようにしてもよい。
【００６５】
ここで、合成画像データを保存することが確認された場合には、次のステップＳ１１の処理に進む。
【００６６】
ステップＳ１１において、コントローラ１２は、処理部１４を制御して上述のステップＳ５の処理にて生成された合成用テンプレート画像データと、上述のステップＳ９の処理にて取得された撮影画像データとに基いて合成画像処理を実行する。その後、ステップＳ１２の処理に進む。
【００６７】
この合成画像処理により生成されるデータに基いて表示される合成画像の一例を、図７に示す。
【００６８】
ステップＳ１２において、コントローラ１２は、画像記憶部１６を制御して上述のステップＳ１１の処理にて生成された合成画像データを記録媒体に保存する処理を実行する。その後、一連の処理を終了する。
【００６９】
一方、上述のステップＳ１０の処理において、コントローラ１２は、合成画像データを保存しない旨の設定もしくは指示があることが確認された場合には、ステップＳ１３の処理に進む。
【００７０】
ステップＳ１３において、コントローラ１２は、処理部１４及び画像記憶部１６，一時メモリ１７等を制御して、上述のステップＳ９にて取得された撮影画像データと、上述のステップＳ５の処理にて生成された合成用テンプレート画像及びこれに関蓮する各情報情報等とを別個のデータとして、若しくは後者を前者のメタデータとして記録媒体に保存する処理を実行する。その後、一連の処理を終了する。
【００７１】
上述したように、本実施形態のデジタルカメラ１におけるコントローラ１２（記憶制御手段）は、テンプレート合成手段により合成処理された後の合成画像データそのものを画像記憶部１６（画像メモリ）に記憶させ保存する第１の記憶モードと、撮影画像データとその撮影画像に合成するための合成用テンプレート画像データとを、それぞれ別形態のデータファイルとして、若しくは両者を一つのデータファイルとして（即ち各種情報データを撮影画像データのメタデータとして）、画像記憶部１６（画像メモリ）に記憶させ保存する第２の記憶モードとを有している。そして、この二つの記憶モードは、使用者の所望により選択可能となっている。この記憶モードの選択設定は、予めその旨の設定を行うようにしておいてもよいし、撮影動作後に使用者による選択設定操作を行う処理を加え、その選択操作に応じた記憶モードを設定するようにしてもよい。
【００７２】
なお、合成用テンプレート画像の「色」情報については、基準テンプレート画像の「色」情報に固定される他に、撮影画像データのホワイトバランス等、合成する対象となる撮影画像データの撮影環境等に応じて変化するような処理を行うようにしてもよい。このような色情報についての処理は、上述のステップＳ５の処理で変換し、ステップＳ７の表示処理で反映するようにしてもよいし、ステップＳ９の本撮影処理によって得られる撮影画像データに基いて色情報を設定する処理を行うようにしてもよい。
【００７３】
図４に示すフローチャートにおいては、本デジタルカメラ１によってテンプレート撮影動作を行う際の処理シーケンスを説明したが、上述の説明では、基準テンプレート画像として、図２の部分テンプレート画像を用いて合成処理を行う場合を主に説明している。
【００７４】
これに対し、図３の挿入テンプレート画像を用いて合成処理を行う場合の処理シーケンスは、基本的には上述の図４のフローチャートと同様である。
【００７５】
ここで、挿入テンプレート画像を用いて合成処理を行う際の処理シーケンスの概略を説明すると、次のようになる。
【００７６】
即ち、デジタルカメラ１がテンプレート撮影モードに設定され、撮影待機状態にあるとき、被写体検出処理（顔認識処理）がなされて被写体（人間の顔）が検出されると、その被写体を含む部分領域に表示枠が重畳表示される（図４参照）。
【００７７】
次いで、検出された被写体を含む部分領域画像（データ）の情報と、予め選択されている基準テンプレート画像（ここでは挿入テンプレート画像（図３参照）が選択されているものとする）のデータに含まれる各種情報とに基いて、挿入テンプレート画像に合わせて部分領域画像が挿入されるように合成処理がなされ、その結果は、連続撮影画像を表示中の表示部１５の表示画面上に表示される。このとき、表示部１５における表示画像の例を図８に示す。この場合において、挿入テンプレート画像の背景領域部分を半透明表示とするようにしてもよい。
【００７８】
ここで、本撮影動作処理が実行されると、図８に示される表示画像と同様の画像が合成画像として撮影される。なお、上述の如く、表示部１５の表示において、挿入テンプレート画像の背景領域部分を半透明表示とするようにした場合では、本撮影動作によって取得される合成画像の背景領域部分は、挿入テンプレート画像の情報に基づく背景色となる。
【００７９】
このような処理シーケンスにおいて、挿入テンプレート画像を用いた合成処理のプロセスと部分テンプレート画像を用いた場合とでは、一部異なる処理がある。
【００８０】
そこで、挿入テンプレート画像を用いて合成処理を行う際の処理シーケンスについて、異なる部分を以下に説明する。
【００８１】
上述したように、挿入テンプレート画像を用いる場合には、被写体検出手段にて検出され設定される被写体検出部分領域の画像を撮影画像の中から切り取って、これを挿入テンプレート画像における挿入領域（２２ａ，２３ａ；図３）に対して挿入する画像合成処理が行われ、合成用テンプレート画像が生成されることになる。
【００８２】
なお、合成用テンプレート画像の「色」情報については、基準テンプレート画像の「色」情報に固定される他に、撮影画像データのホワイトバランス等、合成する対象となる撮影画像データの撮影環境等に応じて変化するような処理を行うようにしてもよい。このような色情報についての処理は、上述の部分テンプレート画像を用いる場合と同様である。
【００８３】
さらに、テンプレート撮影動作を行うのに際しては、上述の図４のステップＳ１の処理において、使用者により所望の基準テンプレート画像の選択操作がなされるわけであるが、この場合において、一つの撮影画像に対して複数のテンプレート画像、例えば部分テンプレート画像と挿入テンプレート画像を組み合わせて複数の被写体毎に適用する等の合成処理を行うようにすることもできる。この場合における処理シーケンスも、上述の図４のフローチャートによって略同様に実現できるので、その詳細な処理シーケンスの説明は省略する。そして、その結果、得られる合成画像の例を図９に示す。
【００８４】
図９に示す例では、図２の部分テンプレート画像２１ｆと、図３に示す挿入テンプレート２２とを組み合わせて適用した場合を示している。
【００８５】
上述の図４のテンプレート撮影動作によって得られた合成画像データに対しては、データ保存後において任意に編集処理を行うことができるようになっている。
【００８６】
図１０は、本実施形態のデジタルカメラにおいて部分テンプレートの編集を行う際の処理シーケンスを示すフローチャートである。
【００８７】
まず、図１０のフローチャートによって、合成画像における部分テンプレートの編集を行う際の動作を説明する。ここで説明する編集処理の対象としている合成画像データは、上述の図４のステップＳ１２において保存された合成画像データ、即ち撮影画像データと部分テンプレート画像データとを合成処理した結果、合成画像データとして保存された場合の合成画像データである。
【００８８】
この場合において、編集することのできる項目は、対象の部分テンプレート画像が、例えば図２の符号２１ａ，２１ｂ，２１ｃ等のように画像のみで形成されるものであれば、色のみが編集可能である。また、図２の符号２１ｆで示されるような部分テンプレート画像であって、かつ吹き出し画像部２１ｄと文字部２１ｅとが別個のデータで形成されるものであれば、吹き出し画像部２１ｄの色情報と、文字部２１ｅのメッセージ文字や、その文字フォント情報，文字色情報等についての編集が可能である。
【００８９】
これらの編集処理は、撮影画像データと共に保存されているテンプレート画像に関連する各種の情報（色，メッセージ，フォント，文字色等）に対する編集を行った上で、元の撮影画像データに編集済みのテンプレート画像情報を付加することになる。
【００９０】
この場合において、任意の編集処理は、使用者の操作に応じて合成用テンプレートを編集することになる。使用者が所定の操作部材を操作することによりって生じる指示信号を受けて、テンプレート編集手段としてのコントローラ１２が処理部１４，画像記憶部１６，一時メモリ１７，表示部１５等を制御して所定の編集処理がなされる。
【００９１】
まず、図１０のステップＳ２１において、使用者は、所定の操作部材を用いて編集対象とするテンプレート画像を選択する操作を行う。この選択操作によって、操作部１１は所定の選択指示信号を発する。その後、ステップＳ２２の処理に進む。
【００９２】
ステップＳ２２において、コントローラ１２は、操作部１１からの選択指示信号を受けて、選択された部分テンプレート画像が吹き出し画像からなる形態の部分テンプレート画像であるか否か、即ち図２において符号２１ｆで示される形態の部分テンプレート画像（以降、この形態の部分テンプレート画像を「吹き出しテンプレート画像」という）であるか否かの確認を行う。ここで、選択された部分テンプレート画像が吹き出しテンプレート画像ではない場合には、ステップＳ２４の処理に進む。一方、選択された部分テンプレート画像が吹き出しテンプレート画像であることが確認された場合には、ステップＳ２３の処理に進む。
【００９３】
ステップＳ２３において、コントローラ１２は、吹き出しテンプレート画像に対して文字編集処理を許可する。その後、ステップＳ２４の処理に進む。
【００９４】
ステップＳ２４において、使用者は、所定の操作部材を用いて、編集のための入力操作を行う。所望の入力操作が終了すると、その旨の操作（例えばＯＫボタンの操作等）を実行する。すると、コントローラ１２は、使用者による編集入力操作処理を完了させて、次のステップＳ２５の処理に進む。
【００９５】
なお、この場合において、上述の文字編集処理がなされる場合、テンプレート編集手段としてのコントローラ１２は、使用者の操作に応じて、例えば吹き出し画像部２１ｄ等に対してテキストデータを挿入し文字部２１ｅを別個に生成する処理を可能とする制御を行う。
【００９６】
ステップＳ２５において、コントローラ１２は、編集操作後の部分テンプレート画像に関する新しい情報を取得する処理を行う。その後、ステップＳ２６の処理に進む。
【００９７】
ステップＳ２６において、コントローラ１２は、上述のステップＳ２５の処理にて取得された新情報が適切であるか否かの確認を行う。ここで、新情報が適切ではないことが確認された場合には、上述のステップＳ２４の処理に戻り、使用者に再度の情報入力を待つ。そして、それ以降の同様の処理を実行する。なお、この場合には、さらに、前回の入力が不適性であった旨を警告する表示を行うようにしてもよい。
【００９８】
この場合において、適正ではない情報であると判断される場合とは、編集対象の部分テンプレート画像が画像である場合（２１ｃ，２１ｂ，２１ｃ等）において、編集が許可されている情報（色情報のみ）以外の情報に対する編集が行なわれている場合等が挙げられる。また、編集対象の部分テンプレート画像が吹き出しテンプレート画像２１ｆである場合において、文字情報、色情報以外の編集が行なわれている場合にも、不正であると判断される。
【００９９】
一方、上述のステップＳ２６の処理にて、入力済みの新情報が適切であることが確認された場合には、ステップＳ２７の処理に進む．
ステップＳ２７において、コントローラ１２は、合成用の部分テンプレート画像を新情報に基づいて新たに生成する処理を行う。その後、ステップＳ２８の処理に進む。
【０１００】
ステップＳ２８において、コントローラ１２は、上述のステップＳ２７の処理にて生成した合成用テンプレート画像を、そのテンプレート情報に基いて元の撮影画像に合成する処理を実行する。その後、ステップＳ２９の処理に進む。
【０１０１】
ステップＳ２９において、コントローラ１２は、操作部１１を監視して編集終了指示信号を確認を行う。ここで、編集終了指示信号が確認されなかった場合には、上述のステップＳ２１の処理に戻り、以降の処理を繰り返す。一方、編集終了指示信号が確認された場合には、ステップＳ３０の処理に進む。
【０１０２】
ステップＳ３０において、コントローラ１２は、処理部１４，画像記憶部１６，一時メモリ１７等を制御して、上述のステップＳ２８の処理にて生成された合成画像データを所定の記録媒体に記録保存する処理を実行し、この保存処理が完了したら、一連の処理を終了する。
【０１０３】
次に、図１１のフローチャートによって、合成画像における挿入テンプレートの編集を行う際の動作を説明する。
【０１０４】
図１１は、本実施形態のデジタルカメラにおいて挿入テンプレートの編集を行う際の処理シーケンスを示すフローチャートである。
【０１０５】
なお、ここで説明する編集処理の対象としている合成画像データも、上述の図４のステップＳ１２において保存された合成画像データである。
【０１０６】
この場合において、編集することのできる項目は、背景色情報，挿入領域の大きさ（ただし縮小のみ），縦横比（元の挿入領域を超えない範囲に限る），位置情報等が編集可能である。
【０１０７】
まず、図１１のステップＳ３１において、使用者は、所定の操作部材を用いて編集対象とする挿入領域を選択する操作を行う。この選択操作によって、操作部１１は所定の選択指示信号を発する。その後、ステップＳ３２の処理に進む。
【０１０８】
ステップＳ３２において、使用者は、所定の操作部材を用いて、編集のための入力操作を行う。所望の入力操作が終了すると、その旨の操作（例えばＯＫボタンの操作等）を実行する。すると、コントローラ１２は、使用者による編集入力操作処理を完了させて、次のステップＳ３３の処理に進む。
【０１０９】
ステップＳ３３において、コントローラ１２は、編集操作後の部分テンプレート画像に関する新しい情報を取得する処理を行う。その後、ステップＳ３４の処理に進む。
【０１１０】
ステップＳ３４において、コントローラ１２は、上述のステップＳ２５の処理にて取得された新情報を参照し、編集内容が元の挿入範囲を超えているか否かの確認を行う。ここで、元の挿入範囲を超えていると判断された場合には、上述のステップＳ３２の処理に戻り、使用者に再度の情報入力を待つ。そして、それ以降の同様の処理を実行する。なお、この場合には、さらに、前回の入力が不適性であった旨を警告する表示を行うようにしてもよい。
【０１１１】
一方、上述のステップＳ３４の処理にて、元の挿入範囲を超えていないことが確認された場合には、ステップＳ３５の処理に進む．
ステップＳ３５において、コントローラ１２は、合成用の挿入テンプレート画像を新情報に基づいて新たに生成する処理を行う。その後、ステップＳ３６の処理に進む。
【０１１２】
ステップＳ３６において、コントローラ１２は、上述のステップＳ３５の処理にて生成した合成用テンプレート画像を適用して合成画像を生成する処理を実行する。その後、ステップＳ３７の処理に進む。
【０１１３】
ステップＳ３７において、コントローラ１２は、操作部１１を監視して編集終了指示信号を確認を行う。ここで、編集終了指示信号が確認されなかった場合には、上述のステップＳ３１の処理に戻り、以降の処理を繰り返す。一方、編集終了指示信号が確認された場合には、ステップＳ３８の処理に進む。
【０１１４】
ステップＳ３８において、コントローラ１２は、処理部１４，画像記憶部１６，一時メモリ１７等を制御して、元の撮影画像データと上述のステップＳ３５の処理にて生成された合成用テンプレート画像データとを所定の記録媒体に記録保存する処理を実行し、この保存処理が完了したら、一連の処理を終了する。
【０１１５】
一方、上述の図４のステップＳ１３において保存された合成画像データ、即ち撮影画像データと、挿入テンプレート画像及びこれに関連する各種情報データとを各別に、もしくは後者を前者のメタデータとして保存した場合の合成画像データについても、編集処理の対象とすることができる。この場合においては、別ファイルとして、もしくはメタデータの情報の編集をするのみでよいので、編集の対象となる項目に制限はない。
【０１１６】
したがって、その処理シーケンスは、テンプレート画像データを部分テンプレート画像とした場合には、上述の図１０のフローチャートと略同様であって、ステップＳ２６の処理を省略した形態のシーケンスで実現可能である。
【０１１７】
他方、テンプレート画像データを挿入テンプレート画像とした場合には、上述の図１１のフローチャートと略同様であって、ステップＳ３４の処理を省略した形態のシーケンスで実現可能である。
【０１１８】
また、テンプレート画像データに関連する各種の情報は、使用者により編集が可能となっている。例えば縦位置撮影を行うような場合には、撮影画像は縦長画像になる。これに対応させるためには、必要に応じて基準テンプレート画像の関連情報のうちの基準回転角度や基準縦横比等の情報を予め編集し変更しておく。これにより、基準テンプレート画像を予め縦長画面に適切な形態のテンプレート画像とすることができる。
【０１１９】
具体的には、本デジタルカメラ１を用いてテンプレート撮影を行う場合において、上述の図４のステップＳ１の処理にて、所望のテンプレート画像を選択した後、使用者は、その選択したテンプレート画像に関する情報の編集を行なうことができる。
【０１２０】
この場合には、次のような処理がなされることになる。即ち、上述の図４のステップＳ１の処理にて、使用者は所定の操作を行うことで所望のテンプレート画像を選択する。ここで、選択操作の完了を行う前に、選択したテンプレート画像の情報を編集するための処理であるテンプレート調整処理を割り込ませるようにする。
【０１２１】
上述したように、使用者が所定の操作部材により所望のテンプレート画像の選択操作を行うと、コントローラ１２は、ＥＥＰＲＯＭ２１から選択指示されたテンプレート画像データを読み込み処理部１４を介して一時メモリ１７に一時的に記憶させる。ここで、使用者が所定の操作を行うとテンプレート調整処理が実行される。
【０１２２】
図１２は、本実施形態のデジタルカメラにおいてテンプレート調整を行う際の処理シーケンスを示すフローチャートである。
【０１２３】
まず、ステップＳ４１において、使用者による編集操作がなされる。この操作がなされると、操作部１１からは所定の指示信号が発生する。この指示信号を受けてコントローラ１２は、処理部１４を制御して一時メモリ１７に記憶されているテンプレート画像データの関連情報についての編集処理を行う。その後、ステップＳ４２の処理に進む。
【０１２４】
ステップＳ４２において、コントローラ１２は、上述のステップＳ４１の処理にて変更された関連情報の項目を検出する。その後、ステップＳ４３の処理に進む。
【０１２５】
ステップＳ４３において、コントローラ１２は、上述のステップＳ４２の処理にて検出された項目の情報についての変更を適用する処理を行う。その後、ステップＳ４４の処理に進む。
【０１２６】
ステップＳ４４において、コントローラ１２は、上述のステップＳ４３の処理にて変更された情報を選択されたテンプレート画像データの関連情報として保存する処理を行う。その後、一連の処理を終了し、元の処理シーケンス（例えば図４のステップＳ１の処理）に復帰する。
【０１２７】
そして、使用者による選択完了操作がなされると、図４のステップＳ２の処理に移行する。
【０１２８】
以上説明したように、上記一実施形態によれば、撮影画像とテンプレート画像とを合成し合成画像を取得する処理を撮影動作時に行うことのできる動作モードを備えたデジタルカメラであって、被写体検出手段によって検出された被写体を含む所定の部分領域画像の位置，大きさ，数等に基いて予め用意され選択された基準テンプレート画像の形態を適正に調整した合成用テンプレート画像データを生成し、この合成用テンプレート画像を用いて撮影画像との合成処理を行うようにしたので、基準テンプレート画像の形態に拘束されずに、より自由度の高い合成画像データを生成することができる。
【０１２９】
また、本撮影動作に先立って、撮影待機状態において表示部の表示画面上に表示される連続撮影画像にテンプレート画像を重畳表示するようにし、被写体の変化に追従させるようにしたので、本撮影動作を行うことなく合成処理の結果を観察することができるので、所望の形態の合成画像を無駄な撮影動作をなくし効率的に所望する合成画像を取得することができる。よって、より柔軟性の高いテンプレート撮影を行うことができる。
【０１３０】
また、基準テンプレート画像データの関連情報を予め使用者が編集し得るようにしたので、予め基準テンプレート画像の形態を必要に応じて適切な形態としておくことができる。したがって、操作性の向上に寄与すると共に、テンプレート撮影を効率的に行うことができる。
【０１３１】
さらに、撮影動作による合成画像データの取得後に、テンプレート画像の編集を行うことができるようにしたので、より自由度の高い合成画像処理を実現できる。これに加えて、画像保存時には、撮影画像データとは別個に若しくはメタデータとしてテンプレート画像データとその関連情報を保存するようにしたので、合成画像だけでなく、通常の撮影画像のみを表示するようにすることもできる。よって、デジタルカメラによる撮影の多様性の向上に寄与することができる。
【０１３２】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０１３３】
【図１】本発明の一実施形態のデジタルカメラにおける内部構成のうち電気的な構成の主要部を示すブロック構成図。
【図２】本実施形態のデジタルカメラに予め用意される基準テンプレート画像のうち部分テンプレート画像の例を示す図。
【図３】本実施形態のデジタルカメラに予め用意される基準テンプレート画像のうち挿入テンプレート画像の例を示す図。
【図４】本実施形態のデジタルカメラの作用のうちテンプレート撮影動作の処理シーケンスを示すフローチャート。
【図５】本実施形態のデジタルカメラにおいてテンプレート撮影動作時における被写体検出処理（顔認識処理）により被写体（顔）が検出された際の表示画面の一例を示す図。
【図６】本実施形態のデジタルカメラのテンプレート撮影動作時に、本撮影動作前の画像表示例であって、連続撮影画像に合成用部分テンプレート画像が重畳表示されている状態を示す図。
【図７】本実施形態のデジタルカメラのテンプレート撮影動作において本撮影動作の結果取得される合成画像データの表示例を示す図。
【図８】本実施形態のデジタルカメラのテンプレート撮影動作時に、本撮影動作前の画像表示例であって、連続撮影画像に合成用挿入テンプレート画像が重畳表示されている状態を示す図。
【図９】本実施形態のデジタルカメラのテンプレート撮影動作時に、本撮影動作前の画像表示例であって、連続撮影画像に合成用部分及び挿入テンプレート画像が重畳表示されている状態を示す図。
【図１０】本実施形態のデジタルカメラにおいて部分テンプレートの編集を行う際の処理シーケンスを示すフローチャート。
【図１１】本実施形態のデジタルカメラにおいて挿入テンプレートの編集を行う際の処理シーケンスを示すフローチャート。
【図１２】本実施形態のデジタルカメラにおいてテンプレート調整を行う際の処理シーケンスを示すフローチャート。
【符号の説明】
【０１３４】
１……デジタルカメラ
１１……操作部
１２……コントローラ
１３……撮像部
１４……処理部
１５……表示部
１５ａ……表示枠
１６……画像記憶部
１７……一時メモリ
１８……撮影レンズ
１９……コントローラ
２０……レンズ駆動部
２１……不揮発性半導体メモリ（ＥＥＰＲＯＭ）
【図１】
2009118084.tif 000003
【図２】
2009118084.tif 000004
【図３】
2009118084.tif 000005
【図４】
2009118084.tif 000006
【図５】
2009118084.tif 000007
【図６】
2009118084.tif 000008
【図７】
2009118084.tif 000009
【図８】
2009118084.tif 000010
【図９】
2009118084.tif 000011
【図１０】
2009118084.tif 000012
【図１１】
2009118084.tif 000013
【図１２】
2009118084.tif 000014